(57)【要約】【課題】バドミントンの練習を効率良くすることができるターゲット装置を開発する。【解決手段】  バドミントン練習用ターゲット装置は、バドミントンのシャトルが打ち込まれる前面１８を有するターゲット枠３と、前記ターゲット枠を床面上で支持する支持台１と、前記ターゲット枠の前面の床面に対する角度を自在に変えられる回転機構と、前記シャトルが前記前面に入射したことを検知するセンサー１１と、前記ターゲット枠に取り付けられた報知体（発光器７と受光器８）と、前記センサーが前記シャトルを検知したときに報知体を作動させる機構を有する。【選択図】図１
2018158079.tif 000002
【特許請求の範囲】
【請求項１】
バドミントンのシャトルが打ち込まれる前面を有するターゲット枠と、前記ターゲット枠を床面上で支持する支持台と、前記ターゲット枠の前面の床面に対する角度を自在に変えられる回転機構と、前記シャトルが前記前面に入射したことを検知するセンサーと、前記ターゲット枠に取り付けられた報知体と、前記センサーが前記シャトルを検知したときに報知体を作動させる機構を有するバドミントンターゲット装置。
【請求項２】
前記ターゲット枠の前記前面の大きさを変えられる機構を有することを特徴とする請求項１に記載のバドミントンターゲット装置。
【請求項３】
前記支持台上の前記ターゲット枠の高さを調節できる高さ調節機構を有することを特徴とする請求項１または２に記載のバドミントンターゲット装置。
【請求項４】
前記報知体は、前記センサーが前記シャトルを検知したときに光又は音を発する請求項１〜３のいずれか一項に記載のバドミントンターゲット装置。
【発明の詳細な説明】
【技術分野】
【０００１】  本発明は、バドミントンの競技者がターゲットにシャトルを的中させる練習を効率よく行わせることができるバドミントンターゲット装置に関する。
【背景技術】
【０００２】  バドミントンなどのシャトルやボールを扱うスポーツにおいてシャトルやボールを狙った位置（ターゲットポジション）に打ち込むために効率が良い練習を行うことは極めて重要なことである。そのために開発された練習器具も数多く存在する。しかし、バドミントンの練習でよくコートのライン際を狙う練習があるが、そのために開発された器具はない。実際の練習では、ターゲットとしてシャトルケースや段ボールをライン際において、シャトルケースを倒したり、段ボールにシャトルを入れる練習が行われている。けれどもその場合、シャトルケースを戻したりするのに時間がかかってしまう。【０００３】  さらにバドミントンの場合は、ショートサーブ、ハイクリア、ドロップショット、スマッシュ、ドライブなど様々な打法があり、それらの打法によって狙う位置やエリアの広さが異なる。また、打法ごとに、シャトルのコートに対する落下角度が違う。それゆえ、段ボールやシャトルケースではシャトルが的確な入射角度でターゲットポジションに入射しているかが分からない。さらに、ハイクリアやスマッシュのようにネットからかなり離れた位置を狙うこともあるので、そのようなターゲットに的中したかどうかが分かりにくい。また、子供や若者が練習を楽しくあるいは飽きることなく続けられるようにするための工夫もあるとよい。【０００４】  従来の技術として、特許文献１は、テニスのサーブやストローク等の練習に用いるテニス用練習器具を開示している。この器具は、特に、サーブ等の練習を行う際に標的として使用したり、或いはボールのコースを見極めるための目標として使用し、サーブやストローク等の練習に役立つと共に、技術の向上を図れるようにしている。これを標的に見立て、ボールが標的に当たるように相手のコートを狙ってボールを打ち込んだり、或いはボールのコースを見極めるための目標に見立て、ボールが目標に当たらないように相手のコートを狙ってボールを打ち込む。しかし、この器具だとライン際を狙う練習をするのには適していない。また標的は固定されているため、バドミントンのシャトルの様々な落下軌跡には対応できない。【０００５】  特許文献２はサッカーのセンタリングを受けてシュートやパス等の練習を一人で簡易に行うことができる練習用具を開示している。ボール当て板の配置角度を調整して、ボール当て板に当たって跳ね返るサッカーボールの軌道を変えることができる。この練習用具はボールのターゲットではなく、ボールを跳ね返らせる目的で使用されているに過ぎない。それゆえ、バドミントンのシャトルのような特有の飛跡を有する競技のターゲットには適さない。
【先行技術文献】
【特許文献】
【０００６】
【特許文献１】特開２００９−２１３５２７
【特許文献２】実用新案登録第３００６６０６号
【０００７】
【発明の概要】
【発明が解決しようとする課題】
【０００８】  バドミントンの練習の際、コート上の狙った位置にシャトルを落とす練習は欠かせない。そのため、シャトルケースを立てたり、他人に見てもらったりして今まで練習してきた。しかし、そのような方法だと毎回ケースを立て直したり、他人の練習時間を奪ってしまう。また、バドミントン特有のシャトルの飛跡に対応できていない。そこで、本発明はバドミントンの練習を効率良く、飽きることなく継続的に行わせるための新しい練習具またはターゲットを開発することを目的とする。
【課題を解決するための手段】
【０００９】  本発明は、バドミントンのシャトルが打ち込まれる前面を有するターゲット枠と、前記ターゲット枠を床面上で支持する支持台と、前記ターゲット枠の前面の床面に対する角度を自在に変えられる回転機構と、前記シャトルが前記前面を入射したことを検知するセンサーと、前記ターゲット枠または支持台に取り付けられた報知体と、前記センサーが前記シャトルを検知したときに報知体を作動させる機構を有するバドミントンターゲット装置である。【００１０】
【発明の効果】
【００１１】  本発明のターゲット装置は、シャトルがターゲット枠の前面に入射した際にセンサーがシャトルを検知して報知体が競技者に報知する機構を持つので、シャトルがターゲットに命中したことを容易に確認できるとともに、命中による達成感をより一層感じることができる。さらに他人による視認やターゲットの再設置という補助作業なしで、競技者自身が自らターゲットに命中したかを確認することができるため一人でも練習ができるようになり、練習を効率的かつ円滑に進めることができる。特に一人でロングサーブやショートサーブの練習をするときに有効である。また、バドミントンには様々な技があり、それぞれ床面に対して落下するシャトルの角度ごとに異なるが、ターゲット装置は、ターゲット枠の角度を変更できる回転機構を持つので、練習する技に応じてターゲット枠（の前面）に的確にシャトルが入射したかを確認することができる。また、ターゲット枠の前面の大きさ、すなわち、ターゲットエリアを狭くまたは広く調整できる大きさ調整機構を設けることで競技者のレベルや上達に応じたターゲットを用意することができる。さらに、高さ調節機構を加えることができるため、ネット上端に近い位置をターゲットにしたり、ドライブ用の練習位置をターゲットにすることもできる。
【図面の簡単な説明】
【００１２】
【図１】図１は、バドミントン練習用ターゲット装置１０の概略斜視図である。
【図２】図２は、バドミントン練習用ターゲット装置１０の概略側面図である。
【図３】図３は、ターゲット枠３の正面図であり、ターゲット枠３を支持する十字型板６に首部２が取り付けられている様子を示す図である。
【図４】図４は、図３において、十字型板６と首部２を除いたターゲット枠３の正面図である。
【図５】図５（Ａ）は、ターゲット装置１０からターゲット枠３を外した台１を示す概念図であり、図５（Ｂ）は首部２を表す斜視図である。
【図６】図６は、ターゲット枠３の大きさを変更できる機構を表した図である。
【図７】図７は、スマッシュを打つ場合とハイクリアを打つ場合とで、ターゲット枠３の角度を変更する様子を示す概念図である。
【図８】図８は、高さ調節機構１６を備えたターゲット装置１０の概略図である。
【図９】図９はターゲットの形を正方形にし、板自体に静電容量式のタッチセンサーを組み込んだ様子を示す図である。
【図１０】図１０は実際にターゲット装置を使用したときのバドミントンのシャトルの飛跡の違いによる装置の位置やターゲット枠の傾きの相違を表した概念図である。
【図１１】図１１は十字型板６の長さを調節できる機構を表した図である。
【発明を実施するための形態】
【００１３】  ＜第１実施形態＞
本発明のターゲット装置を図１及び図２に示す。ターゲット装置１０は、円形の前面（開口）１８を有する円筒状のターゲット枠３と、コート床に設置されてターゲット枠３を支持する台（支持台）１と、ターゲット枠３を台１上で回転（首振り）できるように支持する首部（回転機構）２と、ターゲット枠３に取り付けられたセンサー１１と発光体４を主に持つ。ターゲット枠３は、競技者がシャトルを前面１８を通じてその中に向かって打ち込むための標的である。ターゲット枠３の上部の外周には、発光体４が取りつけられている。発光体４は、後述するように、ターゲット枠３内にシャトルが入った時に発光することで、競技者に的中したことを報知する報知体として機能する。あるいは、常時光らせておき、シャトルが的中したときに発光パターンや発光色を変えるようにしてもよい。発光体４としては、複数のＬＥＤをターゲット枠の外周縁に沿って環状に取りつけるのもよい。または、光ファイバーやチューブ状の有機ＥＬ素子を巻き付けてもよい。ターゲット枠３の大きさ（直径）は、後述する調節機構によって調節できる。
【００１４】  図３及び図４に示すように、ターゲット枠３の内側（内周）には、センサー光１２を発するセンサー１１が取り付けられている。センサー１１は、例えば、光学式センサーを使うことができる。この例では、センサー１１として図３及び図４に示すように、発光ダイオードのような発光器７と受光器８がターゲット枠３の内周壁に周方向において１８０°の位置関係（対向する関係）になるように取り付けられている。図４に示すように、ターゲット枠内に入ったシャトルを確実に検知するために、水平方向と鉛直方向に発光器７と受光器８のセットを２セット設けるのが好ましい。こうすることで、前面を通じて枠内に入ったシャトルをセンサー光１２で確実に検知できる。センサー１１及び発光体４にセンサー光１２には、センサーの受光器８からの検知信号の変化に応答して発光体４を発光させる回路（報知体を作動させる機構）が電気的に接続されている。なお、検知信号の変化に応答して発光体４を発光させる回路は、スイッチ回路やマイクロプロセッサーなど市販の任意のものを使用することができるが、ここでは図示していない。また、センサー１１を動作させる電源（図には示していない）もターゲット装置１０に搭載されている。
【００１５】  ターゲット枠３の後方には、図１及び図３に示すように、十字型板６が取りつけられている。十字型板６は、二本の腕が直交した十字形状を有し、４つの先端がターゲット枠３の後側外周に９０°毎の角度間隔で取り付けられている。十字型板６の各腕の両先端６ａには、図１１に示すように、それぞれ、延出板６ｂがスライド可能に（入れ子式に）挿入されており、延出板６ｂを腕の先端６ａから引き出すことによって十字型板６の腕を延長させて長さを変えることができる。
【００１６】  台１は、コート床に設置されるために平らな底面を有する四角錐台状であり、ターゲット枠３を支えるために、適度な重量と大きさを持つ。図２及び図５（Ａ）に示すように、台１の上部には首部２を回転可能に、つまり首振り可能に取り付けるための、回転軸９が側面から突出するように取り付けられている。なお、図５（Ａ）は台１を斜め前方から見た図であるが、分かりやすくするためにターゲット枠３を省略してある。首部２は、図５（Ｂ）に示したように、長方形板２ａと両端を曲げてできた二本の足２ｂを持つコ字状の板材であり、足２ｂの中央付近に回転軸９の軸受として機能する軸孔１ａが開けられている。回転軸９によって、首部２は、台１の上部において長方形板２ａの前面２ａ１が前方（床面と平行）と上方（床面に垂直）の間の範囲で回転軸９を中心として回転変位（首振り）可能となっている。また、首部２を所望の回転位置で固定されるようなロック機構（図示していない）が設けられている。ロック機構は、例えば、回転軸９の先端部分に突起または切り欠きを設け、首部２の軸孔１ａにそれと嵌まり合うような切り欠きまたは突起を取り付けることで構成したり、ラチェット機構にすることができる。首部２の長方形板２ａの前面２ａ１は、十字型板６の裏側に接合されている。
【００１７】  図６はターゲット枠３の大きさを変える機構を表している。競技者が自分に適した大きさを決めて、クリップのように取り外しが可能な留め具１４で留めるという簡単な機構である。留め具１４としてターゲット枠３の内側二辺とターゲット枠３の外側二辺に一定間隔でベルクロテープを取り付け、ターゲット枠３の内外面を留めることもできる。ターゲットの大きさを変える際に、前述のように十字型板６の重なった二枚の板を一方を引き出して長さを変える。こうすることで、ターゲット枠３の大きさを変えても、ターゲット枠３を首部２を介して台１上で支持することができる。また、ターゲット枠３の大きさを変えると受光器・発光器の位置も変わるので、受光器８、発光器７は、ベルクロテープなどの着脱可能な部材でターゲット枠３に取り付けるのがよい。
【００１８】  次にこのターゲット装置１０の使い方と動作について説明する。この装置をコートのターゲット位置に置く。バドミントンの場合、図１０に示すように打撃技によってシャトルの飛跡や場所が異なる。例えばロングサーブ、ハイクリアやヘアピンの場合はシャトルが床面に対してほぼ９０度で落下するので、受球面であるターゲット枠の前面（又は開口）を床面と平行に、即ち水平になるように調整し（図７右側図参照）、スマッシュの場合はシャトルが床面に対して２０度から４５度の入射角で接地するので、それと直交するような４５度から７０度の角度になるようにターゲット枠３ごと首部２の角度を変える（図７左側図参照）。シャトルがターゲット枠３の前面１８を通じて内部に入るとターゲット枠３に取り付けられている発光器７と受光器８がシャトルを検知し、その検知信号が回路に送られ発光体４を光らせる。練習が続くにつれ、もっとレベルアップをはかりたいときには、ターゲット枠３と十字型板６の大きさを小さくし、発光器７と受光器８もベルクロテープなどで着脱して位置を変更することができる。
【００１９】  ＜第２実施形態＞
上記例ではターゲット装置１０の高さを変えることができず、ネット近い位置でのシャトルに対応は難しい。そこで、図８に示す第２実施形態のターゲット装置１０は、台１に高さ調節機構１６を備えている。高さ調節機構１６は、台１と首部２をつなぐ入れ子式の柱であり、最上段の柱に首部２が取り付けられている。競技者の要望に応じて、入れ子式の柱の長さを調節して、ターゲット枠３の高さ位置を調節できる。ターゲット装置１０は、高さ調節機構１６以外は、第１実施形態のターゲット装置１０と同様であるのでその説明は省略する。
【００２０】  ＜第３実施形態＞
第１及び第２実施形態のターゲット装置１０では、ターゲット枠３を円筒状とし、センサー光１２は内周に取り付けた二組の受光器と発光器のセットとして説明したが、ターゲット枠３は四角形や円、筒型など形は様々にできる。また、図９に示すように、ターゲット枠３の前面に複数の矩形の板から構成された板を取り付ける。このとき受光器・発光器は板に取り付けず、板自体に静電容量式のタッチセンサーを組み込む。この場合、タッチセンサー（ターゲット枠の前面）にシャトルが当たった（入射した）時に発光体を光らせるように構成することができる。この場合には、ターゲット枠３のタッチセンサーのどこの位置に当たったか詳しく知ることができるメリットがある。矩形の板の大きさは組み合わせ式で簡単に大きくできるようにし、さらに十字型、長方形、穴あき正方形など形も変えられるようにする。それにより、ターゲットの中でもどこの部分に当てたいか、ターゲットの範囲をより絞ることが可能となる。図９に示すように発光体４はターゲット枠の外側の正方形にだけ付いている。
【００２１】  ＜変形形態＞
第１〜第３実施形態で具体的に示した以外にも、以下のような改良をターゲット装置に加えることができる。（１）上記実施形態では、首部２の回転機構は手動で好みの回転位置でターゲット枠を固定できるようになっていたが、例えば、台１内にモーター及び電源を組み込んで回転軸９を電動で回転可能にすることによって首部２及びターゲット枠３を回転移動させてもよい。この場合、ターゲット装置１０に無線通信設備を取り付け、モーター及び電源を無線でパソコンやスマホから駆動できるようにしてもよい。こうすることで、練習者はコートの反対側にいながらターゲット枠の角度を変更することができる。
【００２２】  （２）またターゲット装置１０に取り付けた無線通信設備を通じて、検知結果を無線でパソコンやスマホに送信して、パソコンやスマホのソフトウエアを通じて何回衝突又は通過したかの記録をつけることもできる。
【００２３】  （３）また、ターゲット枠の後ろにネットをつけてもよい。そうすることで、シャトルの回収をまとめて素早くできる。
【００２４】  （４）ターゲット装置１０の報知体としての光センサーの代わりに音声発生装置を付けてもよい。センサー光１２がシャトルを検知した時に発光体を光らせる代わりに、「イン」や「ゴール」のような音声を発生させることでターゲット枠内にシャトルが入ったか否かを音声で報知することができる。また、音声によって練習のモチベーションが上がる。あるいは、ターゲット装置１０の光センサーに加えてそのような音声発生装置を取り付けてもよい。そうすることによって、ターゲット枠の前面にシャトルが命中したかどうかがより一層分かりやすくなる。光センサーや音声発生装置は、ターゲット枠に取り付けられるが、その代わりに台に取り付けてもよい。
【００２５】  （５）第１および第２の実施形態では、手動でターゲット装置をコートの置きたい位置に動かさなければならないが、ラジコンのようにターゲット装置１０に車輪をつけて台１に内蔵したモーターで動くようにしてもよい。その時リモコンで操作できるようにするために送受信機を台１やターゲット３に設ける。こうすることで、練習者はターゲット装置を持ち、コート上の置きたい位置に運ぶ手間が省け、コート内のターゲット位置をコートの反対側にいながら自由に変えられる。
自分でターゲット装置を持ち、コート上の置きたい位置に運ぶ手間が省ける。
【産業上の利用可能性】
【００２６】  本発明のターゲット装置は、ターゲット枠の角度調整機構を持つので、バドミントンのシャトルの種々の飛跡に対しても有効なターゲットして機能する。それゆえ、バドミントン競技者の練習を一層効率的にし、しかも練習のモチベーションを向上することができる。それゆえ、本発明のターゲット装置は、我が国のバドミントン競技のレベルアップに貢献することができる。
【符号の説明】
【００２７】１      台
１ａ    軸受け
２      首部
２ａ    長方形板
２ｂ    足
３      ターゲット枠
４      発行体
５      タッチセンサー
６      十字型板
７      発光器
８      受光器
９      回転軸
１０    ターゲット装置
１１    センサー
１２    センサー光
１４    留め具
１６    高さ調節機構
１７ａ  ハイクリア
１７ｂ  スマッシュ
１７ｃ  ドロップショット
１８    ターゲット枠の前面
【図１】
2018158079.tif 000003
【図２】
2018158079.tif 000004
【図３】
2018158079.tif 000005
【図４】
2018158079.tif 000006
【図５】
2018158079.tif 000007
【図６】
2018158079.tif 000008
【図７】
2018158079.tif 000009
【図８】
2018158079.tif 000010
【図９】
2018158079.tif 000011
【図１０】
2018158079.tif 000012
【図１１】
2018158079.tif 000013